(57)【特許請求の範囲】
【請求項１】
遊技機に配設される複数の電気部品間を接続するハーネスが複数挿通されてそれらを保持するハーネス保持具であって、
前記複数の電気部品中の前記遊技機の背面側に設けられた所定の電気部品の予め決められたコネクタ配置領域を除いた領域をカバー可能に形成され、
前記ハーネスの出入口を有する通路部は１階通路部及び２階通路部を備えた２階建て構造をなし、
前記２階通路部には前記ハーネスを挿通させるゲート部が設けられ、
前記２階通路部の床面部には、前記１階通路部内の放熱または点検が可能な貫通孔が複数形成されていることを特徴とするハーネス保持具。
【請求項２】
前記ゲート部は両側部と上部の三方を囲む門形状を有し、このゲート部には該ゲート内に前記ハーネスを挿脱可能のスリットが形成され、このスリットは、前記ゲート部の上部に、前記通路部の延出方向に対して斜めに横切る方向に形成されていることを特徴とする請求項１に記載のハーネス保持具。
【請求項３】
前記複数の電気部品は、前記遊技機の遊技盤の背面側に配設された複数の電気部品であり、該複数の電気部品間を接続するハーネスが複数挿通されることを特徴とする請求項１または２に記載のハーネス保持具。
【発明の詳細な説明】
【技術分野】
【０００１】
本発明は、例えばパチンコ機等の遊技盤の背面側に配設された複数の回路基板、装置等の電気部品間を接続するハーネス（信号線や電源線等の電線の束）が複数挿通されてそれらを保持するハーネス保持具に関するものである。
【背景技術】
【０００２】
従来、この種の技術としては特許文献１に記載のものがあった。
これは、遊技盤を備える前枠の背後の中継基板、遊技制御回路、本体制御回路間を接続するコード（ハーネス）を前枠の背後に沿って配線するパチンコ機において、上記ハーネスを、前枠背面の一側縁に沿って蝶着支持する機構枠体の閉塞に伴わせて被い囲むというものである。
【先行技術文献】
【特許文献】
【０００３】
【特許文献１】特開２０００−２８８２１２号公報
【発明の概要】
【発明が解決しようとする課題】
【０００４】
上記従来技術によれば、パチンコ機の遊技盤背後の中継基板、遊技制御回路、本体制御回路間を接続するハーネスを簡単に被い囲めるという利点がある。
しかし、上記基板や回路等の電気部品間を接続するハーネスが多くなる（１つのハーネスに含まれる電線数が多くなる場合も含む。）と、それらのハーネスを纏まりよく、しかも手際よく容易に配線し、保持するには限界があった。
【０００５】
本発明は、上記のような実情に鑑みなされたもので、複数の電気部品間を接続するハーネスの数が多い場合でも、ハーネスを、ばらけ等を生じさせず纏まりよく、したがって見た目もよく、しかも手際よく容易に配線し、保持できるハーネス保持具を提供することを課題とする。
【課題を解決するための手段】
【０００６】
上記課題を達成するために、請求項１に記載の発明は、遊技機に配設される複数の電気部品間を接続するハーネスが複数挿通されてそれらを保持するハーネス保持具であって、前記複数の電気部品中の前記遊技機の背面側に設けられた所定の電気部品の予め決められたコネクタ配置領域を除いた領域をカバー可能に形成され、前記ハーネスの出入口を有する通路部は１階通路部及び２階通路部を備えた２階建て構造をなし、前記２階通路部には前記ハーネスを挿通させるゲート部が設けられ、前記２階通路部の床面部には、前記１階通路部内の放熱または点検が可能な貫通孔が複数形成されていることを特徴とする。
請求項２に記載の発明は、請求項１に記載の発明において、前記ゲート部は両側部と上部の三方を囲む門形状を有し、このゲート部には該ゲート内に前記ハーネスを挿脱可能のスリットが形成され、このスリットは、前記ゲート部の上部に、前記通路部の延出方向に対して斜めに横切る方向に形成されていることを特徴とする。
請求項３に記載の発明は、請求項１または２に記載の発明において、前記複数の電気部品は、前記遊技機の遊技盤の背面側に配設された複数の電気部品であり、該複数の電気部品間を接続するハーネスが複数挿通されることを特徴とする。
【発明の効果】
【０００７】
請求項１に記載の発明では、ハーネス保持具を、同保持具が取り付けられる電気部品の予め決められたコネクタ配置領域を除いた領域をカバー可能とした２階建て構造に形成した。そして、その２階通路部にハーネスを挿通させるゲート部を設けた。これによれば、複数の電気部品間を接続するハーネスの数が多い場合でも、ハーネスを、纏まりよく、したがって見た目もよく配線し、保持できる。また、２階建て構造の２階通路部の床面部に形成した貫通孔により、１階通路部内の放熱が可能になると共に、１階通路部内の点検が可能になる。
請求項２に記載の発明によれば、ゲート部を門形状とし、同ゲート部の上部にハーネスを挿脱可能のスリットを形成したので、ハーネスを手際よく配線し、保持できる。しかも、このスリットを通路部延出方向に対して斜めに横切る方向に形成したので、ゲート部内に対するハーネスの挿脱が簡単に行なえる。
請求項３に記載の発明によれば、ハーネスが複数込み入った遊技機の遊技盤の背面側において、それらのハーネスを纏まりよく配線、保持する際の手間を極力省くことができる。
【図面の簡単な説明】
【０００８】
【図１】本発明の一実施形態に係るハーネス保持具が取り付けられる遊技機（パチンコ機）要部をなす遊技盤の盤面図である。
【図２】同上ハーネス保持具の取り付け前の遊技機要部を背面側から示した斜視図である。
【図３】同上ハーネス保持具の取り付け直後（ハーネス未配線状態）の遊技機要部を背面側から示した斜視図である。
【図４】同上遊技機要部の背面図である。
【図５】図３，図４に示すハーネス保持具を取り出し拡大して示す図である。
【図６】同上ハーネス保持具の五面図で、（ａ）は平面図、（ｂ）は右側面図、（ｃ）は左側面図、（ｄ）は正面図、（ｅ）は背面図である。
【図７】同上ハーネス保持具による複数のハーネスの配線、保持の手順の一例を説明する図で、（ａ）はハーネス保持具の取り付け前の電気部品の正面図、（ｂ）はハーネスの配線、保持の手順実施前のハーネス保持具取り付け部のハーネス配線状態を示す正面図、（ｃ）は同じく手順実施初期時のハーネス配線、保持状態を示すハーネス保持具部分の正面図、（ｄ）は同じく手順実施中間時のハーネス配線、保持状態を示すハーネス保持具部分の正面図、（ｅ）は同じく手順実施終了時のハーネス配線、保持状態を示すハーネス保持具部分の正面図である。
【図８】同じくハーネス保持具による複数のハーネスの配線、保持の手順の他の例を説明する図で、（ａ）〜（ｅ）は図７と同様である。
【発明を実施するための形態】
【０００９】
以下、本発明の実施の形態を図面に基づき説明する。なお、各図間において、同一符号は同一又は相当部分を示す。
図１は、本発明の一実施形態に係るハーネス保持具が取り付けられる遊技機、ここではパチンコ機の要部をなす遊技盤の盤面図である。
図１に示すように、パチンコ機の遊技盤１の盤面２には、打ち込まれた遊技球が流下する遊技領域３が設定され、同遊技領域３には入賞口３ａ、アウト口３ｂや、図示しない風車、遊技釘等が設けられ、またそのほぼ中央部にはセンター飾り４が配設されている。
このセンター飾り４の開口部５には、遊技状況に応じた画像を表示し、遊技の演出を行なう液晶表示器等からなる表示器の画面６が位置決めされている。
センター飾り４の周囲や遊技領域３の適宜箇所には、第１電飾用ランプ、第２電飾用ランプ等、種々の電飾が施されている。
【００１０】
図２において、パチンコ機（遊技機）要部は、上記遊技盤１、同遊技盤１の背面に装着されたセット板７及び遊技を実行させる各種の電気部品等からなる。
ここで、セット板７は、上記遊技盤１の盤面２に備える入賞口３ａからの入賞球を受け入れ、集合させ、機外に送り出す等の機能を有する箱状部材である。このセット板７の背面には、遊技を実行させる各種電気部品８、図示例では遊技制御回路基板８ａ（８ａ１）、ドライブ回路基板８ｂ（８ｂ１）及び中継端子基板８ｃ（８ｃ１，８ｃ２）等が取り付けられている。
中継端子基板８ｃ（本実施形態では第１電飾用ランプ駆動信号中継端子基板８ｃ１及び第２電飾用ランプ駆動信号中継端子基板８ｃ２等）を、遊技盤１の背面側に、具体的にはセット板７の背面に配設したのは、次の理由からである。
すなわち、センター飾り４の周囲には、電飾用ランプ等、種々の電飾が施され、電飾基板を備えている。この電飾基板はセンター飾り４の駆動に伴って動くため、センター飾り４に組み込まれ、あるいは盤面２側（遊技盤１の前面側）に配置され、同電飾基板への電線の断線や絡まり等を防いでいる。
一方、同電飾基板からハーネスを引き出し、遊技盤１の背面に配置した中継端子基板８ｃにより中継して所定の基板、ここではドライブ回路基板８ｂ等に接続する。これによれば、電飾基板への電源や信号の供給が安定する。同時に、遊技盤１からセット板７までの内部領域に中継端子基板８ｃを配置することによる同領域の縮小を避けることができ、同領域を広く確保できる。
このような理由から、中継端子基板８ｃを遊技盤１の背面側（セット板７の背面等）に配設した。
【００１１】
上記遊技制御回路基板８ａは、図示しないモータ、ソレノイド、ランプ等の制御信号をドライブ回路基板８ｂに与え、また、入賞球検出スイッチ等からの入賞球検出信号等を受信する電気部品である。
ドライブ回路基板８ｂは、遊技制御回路基板８ａからの制御信号を上記のモータ、ソレノイド、ランプ等を実際に駆動する信号（電源）として、それらモータ、ソレノイド、ランプ等に供給する電気部品である。
中継端子基板８ｃは、入賞口３ａを構成する入賞装置や上記の電飾等に電源を供給したり、入賞検出信号や各部装置を作動させる信号等の送受信に用いるハーネスを中継する電気部品である。具体的には、上記入賞装置に備わる開閉翼等を作動させるモータ、ソレノイド等の動力源や上記電飾に用いるランプ等に電源を供給するハーネス、上記動力源やランプ等の制御信号や上記入賞球検出信号等を送受信するハーネスを中継する電気部品である。
【００１２】
図示例では、遊技制御回路基板８ａとして電飾用ランプ制御用サブ基板８ａ１が、ドライブ回路基板８ｂとして電飾用ランプドライブ回路基板８ｂ１が、中継端子基板８ｃとして第１電飾用ランプ駆動信号中継端子基板８ｃ１及び第２電飾用ランプ駆動信号中継端子基板８ｃ２が示されている。
【００１３】
ハーネス保持具は、上記のような複数の電気部品８間を接続するハーネス（信号線や電源線等の電線の束）が複数挿通されてそれらを保持する部材である。
図３及び図４は、遊技盤１の背面側に配設された複数の電気部品８間を接続するハーネスＨ（図７参照）を保持する場合のハーネス保持具１１の取り付け例を示す。具体的には、遊技盤１に装着されたセット板７の背面に配設された上記電飾用ランプドライブ回路基板８ｂ１、第１電飾用ランプ駆動信号中継端子基板８ｃ１及び第２電飾用ランプ駆動信号中継端子基板８ｃ２間を接続するハーネスＨを保持する場合のハーネス保持具１１の取り付け例を示す。
【００１４】
図２〜図４から分かるように、ハーネス保持具１１は、セット板７の背面に配設された第１電飾用ランプ駆動信号中継端子基板８ｃ１の一部の領域（図中、破線で囲んだ領域。以下第１領域と記す。）ｅ１を除く残余の領域（以下第２領域と記す。）ｅ２をカバー可能に形成されている。
この場合、第１領域ｅ１は、コネクタが配置されている領域（コネクタ配置領域）のうち、第２領域ｅ２に配置されているコネクタよりも大きいコネクタが配置されている領域であり、ハーネス保持具１１がセット板７に配設、固定された後においても外部に露出する。したがって、その第１領域ｅ１内のコネクタに対しては、他の電気回路８、例えば電飾用ランプドライブ回路基板８ｂ１や第２電飾用ランプ駆動信号中継端子基板８ｃ２からのハーネスを所望時に接離可能（ハーネス端部のコネクタを所望時に挿脱可能）である。
なお、図２においては、第１領域ｅ１中に３個、第２領域ｅ２中に９個のコネクタ（ほぼ直方体状の部材）を配置した例を示している。
【００１５】
このハーネス保持具１１は、図５、図６に取り出して示すように、ハーネスの出入口１２を有する通路部１４を備える。
この通路部１４は、各々適宜箇所に側壁ｗ１を有する１階通路部１５及び２階通路部１６を備えた２階建て構造とされている。そして、その２階通路部１６には、ハーネスを挿通させるゲート部１７が同２階通路部１６の延出方向に沿って複数箇所、図示例では３箇所設けられている。ゲート部１７の両側部１８，１９は、２階通路部１６の側壁ｗ１に兼用されるので、２階通路部１６のゲート部１７が設けられた箇所には独立した側壁ｗ１を有しない。
【００１６】
このゲート部１７は、両側部１８，１９と上部２０の三方を囲む門形状を有し、上部２０又は側部１８，１９、図示例では上部２０には同ゲート部１７内にハーネスを容易に挿脱可能とするスリット２１が形成されている。
このスリット２１は、２階通路部１６の延出方向に対して斜めに横切る方向に形成されている。ゲート部１７内に対するハーネスの挿脱を簡単にするためである。また、このスリット２１の上記の斜めに横切る方向は、互い違いになるように設定されている。ゲート部１７内に対するハーネスの挿脱を更に簡単にするためである。
スリット２１は、その上方側（ハーネスをゲート部１７内に挿入する際に接する側）の幅を下方側（ハーネスをゲート部１７内から抜き出す際に接する側）の幅よりも広く形成してもよい。これによれば、ハーネスのゲート部１７内への挿入を簡単に行える。また、挿入されたハーネスはゲート部１７外へ抜け難くなり、ハーネスの意図しない抜け出しを防ぐことができる。
【００１７】
上記ゲート部１７の少なくともスリット２１が形成された上部２０は可撓性を有していて、ゲート部１７内に対するハーネスの挿脱が容易化され、また、ハーネス挿脱時におけるスリット２１部分の割れ等の破損が生じにくくされている。本実施形態では、ハーネス保持具１１の２階建て構造全体が可撓性及び透光性を有する材質、ここでは合成樹脂によって形成され、上記のハーネス挿脱の容易化等に加えて、ハーネス保持具１１内の様子を外部から視認可能とされている。
また、２階建て構造の２階通路部１６の床面部（１階通路部１５の天井面部）には、貫通孔２２が複数形成されている。この貫通孔２２は、２階通路部１６の延出方向に沿う適宜箇所、図示例では各ゲート部１７の下部に形成されている。この貫通孔２２によれば、１階通路部１５内について、発生熱の放出及び内部の点検が可能となる。
なお図５、図６では、ハーネスの出入口１２を、１階通路部１５及び２階通路部１６の各々に一対設けた例を示す。しかし、図７を参照して後述するように、本実施形態では１階通路部１５の図中上端側はハーネスが挿通されない〔図７（ｂ）参照〕ので、１階通路部１５の図中上端側の出入口１２は設けなくても（閉じても）よい。ハーネスの出入口１２を、図示するように１階通路部１５及び２階通路部１６の各々に一対設ければ、１階通路部１５の図中上端側にハーネスが挿通されない場合と挿通される場合とに兼用できる。
【００１８】
次に、上述したハーネス保持具１１を用いて数束のハーネスを配線、保持する手順について図７を参照しつつ説明する。
図７（ａ）はハーネス保持具１１の取り付け前の電気部品８（８ｃ）、ここでは第１電飾用ランプ駆動信号中継端子基板８ｃ１を示している。
ハーネス保持具１１を用いたハーネスＨの配線、保持に当たっては、ハーネス保持具取り付け前の段階（手順実施前）において、上記第１電飾用ランプ駆動信号中継端子基板８ｃ１の第２領域ｅ２内の所定のコネクタに、予め決められたハーネスＨ１〜Ｈ３の各一端部のコネクタを挿着し、配線する〔図７（ｂ）参照〕。
【００１９】
このハーネスＨ１〜Ｈ３の配線を終えた段階でハーネス保持具１１を第１電飾用ランプ駆動信号中継端子基板８ｃ１上にねじ止め等で取り付ける。ハーネスＨ１〜Ｈ３は、この段階において、２階建て構造のハーネス保持具１１の１階通路部１５の側壁ｗ１や同１階通路部１５の天井面部（２階通路部１６の床面部）によって位置決めされ、各ハーネスＨ１〜Ｈ３を形成する電線群のばらけ等を生じさせずに１階通路部１５内に配線、保持されたことになる。
【００２０】
このようにハーネス保持具１１が第１電飾用ランプ駆動信号中継端子基板８ｃ１上に取り付けられ、ハーネスＨ１〜Ｈ３の配線、保持がなされると、予め決められたハーネスＨ４を、２階建て構造のハーネス保持具１１の２階通路部１６内に挿通（配線）させる〔図７（ｃ）参照〕。
このハーネスＨ４の配線は、２階通路部１６に設けられたゲート部１７内にハーネスＨ４を挿入することにより行なう。このハーネスＨ４の挿入は、可撓性を有するゲート部１７の上部に形成されたスリット２１を通して行なう。ハーネスＨ４は、この段階において、２階通路部１６の側壁ｗ１やゲート部１７によって位置決めされ、ハーネスＨ４を形成する電線群のばらけ等を生じさせずに２階通路部１６内に挿通（配線）、保持される。
【００２１】
次に、予め決められたハーネスＨ５をハーネス保持具１１の２階通路部１６内に挿通（配線）する〔図７（ｄ）参照〕。このハーネスＨ５の配線、保持は、２階通路部１６に挿通済みの上記ハーネスＨ４に添わせて行なうこと以外はハーネスＨ４と同様の手順で行なわれ、同様に電線群のばらけ等を生じさせない効果が発揮される。
【００２２】
最後に、第１電飾用ランプ駆動信号中継端子基板８ｃ１の第１領域ｅ１内のコネクタに、予め決められたハーネスＨ６の一端部のコネクタを挿着し、同ハーネスＨ６を以下のように配線する〔図７（ｅ）参照〕。
すなわち、ハーネスＨ６の配線、保持は、始めに、一端部側が第１領域ｅ１内のコネクタに挿着されたハーネスＨ６の他端部側をハーネス保持具１１の２階通路部１６に引き上げ、次にこの引き上げ部直近のゲート部１７内にスリット２１を通して挿入する。その後、２階通路部１６に挿通済みの上記ハーネスＨ５に添わせ、ハーネスＨ４，Ｈ５と同様に、ハーネス保持具１１の図中下端側のゲート部１７内に挿入することによって行なわれる。
ハーネスＨ６は、この段階において、２階通路部１６の側壁ｗ１やゲート部１７によって位置決めされ、ハーネスＨ６を形成する電線群のばらけ等を生じさせずに２階通路部１６内に挿通（配線）、保持される。
以上で本ハーネス保持具１１を用いた全ハーネスＨ１〜Ｈ６の配線、保持を完了する。
【００２３】
詳細を図示しないが、ハーネスＨ１〜Ｈ３は、図２〜図４に示す第１電飾用ランプ駆動信号中継端子基板８ｃ１から電飾用ランプドライブ回路基板８ｂ１等、第１電飾用ランプ駆動信号中継端子基板８ｃ１よりも図中、下方側の電気部品８に向かうハーネスである。
またハーネスＨ４，Ｈ５は、第２電飾用ランプ駆動信号中継端子基板８ｃ２等から第１電飾用ランプ駆動信号中継端子基板８ｃ１をパスして電飾用ランプドライブ回路基板８ｂ１等に向かうハーネスである。ハーネスＨ６は、第１電飾用ランプ駆動信号中継端子基板８ｃ１から電飾用ランプドライブ回路基板８ｂ１に向かうハーネスである。
【００２４】
なお、ハーネス保持具１１の通路部１４（１階通路部１５及び２階通路部１６）に挿通させるハーネス数や、どの電気部品８間を接続するハーネスＨをどの通路部１４に挿通させるか、あるいはどの電気部品８にハーネス保持具１１を取り付けるか、更に、第１領域ｅ１や第２領域ｅ２の設定等は、本実施形態に限定されることはない。これらは、本ハーネス保持具１１が適用される、複数の電気部品８が設けられた電気装置の各電気部品の配置設計等によって適宜設定される。
【００２５】
また、ハーネスＨ４〜Ｈ６の配線、保持の手順も上述した手順のみに限定されることはない。いずれにしても、本ハーネス保持具１１によれば、同保持具１１が取り付けられた電気部品８、図示例では第１電飾用ランプ駆動信号中継端子基板８ｃ１を主体として、ハーネスＨ１〜Ｈ６を次のように纏まりよく、しかも手際よく容易に配線し、保持できる。
すなわち、本ハーネス保持具１１によれば、上記の基板８ｃ１から電飾用ランプドライブ回路基板８ｂ１等、図２〜図４中の下方側に延出するハーネスＨ１〜Ｈ３、Ｈ６及びこの基板８ｃ上を単にパスするだけのハーネスＨ４，Ｈ５を、セット板背面における電気装置組付けの工程毎に整理しながら配線し、保持できる。具体的には、各ハーネスＨ１〜Ｈ６、特にＨ４〜Ｈ６を、その断面積に応じて配線に必要なスペースを調整しながら配線し、保持でき、２階建て構造内の全通路部１４のハーネス挿通スペースを最大限に利用できる。したがって、複数の電気部品８間を接続するハーネスＨの数が多い場合でも、ハーネスＨを、ばらけ等を生じさせず纏まりよく、したがって見た目もよく、しかも手際よく容易に配線し、保持できる。
【００２６】
上述した実施形態によれば、ゲート部１７を門形状とし、その上部２０にハーネス挿脱用のスリット２１を形成し、しかもこのスリット２１を、通路部延出方向に対して斜めに横切る方向に形成したので、ゲート部１７内に対するハーネスの挿脱が簡単に行なえる。また、このスリット２１の上記の斜めに横切る方向を互い違いに設定したので、ゲート部１７内に対するハーネスの挿脱を更に簡単に行なえる。
スリット２１は、その上方側の幅を下方側の幅よりも広く形成することが好ましい。ハーネスのゲート部１７内への挿入が簡単になると共に、挿入されたハーネスのゲート部１７からの意図しない抜け出し防止に役立つからである。
更に、上述した実施形態によれば、ゲート部１７のスリット２１が形成された上部２０を、可撓性を有して形成したので、ゲート部１７内に対するハーネスの挿脱が一層容易化され、また、ハーネス挿脱時におけるスリット２１部分の割れ等の破損を防止できる。
更に、ハーネス保持具１１の２階建て構造全体を可撓性及び透光性を有して形成したので、上記のハーネス挿脱の容易化等に加えて、ハーネス保持具１１内の様子を外部から視認可能になる。
また、２階建て構造の２階通路部１６の床面部に貫通孔２２を形成したので、１階通路部１５内の発生熱の放出が可能になると共に、１階通路部１５内の点検が可能になる等の効果を発揮できる。
【００２７】
図２〜図４に示すように、比較的小さなコネクタの配置領域を第２領域ｅ２（ハーネス保持具１１によってカバーされる領域）として設定し、それより大きなコネクタの配置領域を第１領域ｅ１（ハーネス保持具１１によってカバーされない領域）として設定したのは、次の理由による。
すなわち、ハーネス配線作業時において、小さなコネクタは指先だけで挿脱しなければならないためにその挿脱が難しい。そこで、ハーネス保持具１１によってカバーされる前に挿脱を行なう第１領域ｅ１に小さなコネクタを配置する。これにより、ハーネス保持具１１を上記基板８ｃ１上に取り付ける前の自由な状態で小さなコネクタの挿脱を容易に行なえる。また、大きなコネクタは指全体で挿脱でき、その挿脱はし易い。そこで、大きなコネクタの挿脱は、ハーネス保持具１１を上記基板８ｃ１上に取り付け後に行なう構成としても（第１領域ｅ１に配置しても）差し支えなく、そのような構成とした。これにより、コネクタの挿脱は全体として容易になり、しかも、ハーネスH３、H６〔図７（ｅ）参照〕につき、纏まりのよい配線が可能となる。
このような理由から、比較的小さなコネクタの配置領域を第２領域ｅ２として設定し、それより大きなコネクタの配置領域を第１領域ｅ１として設定した。
【００２８】
本実施形態では、ハーネス保持具１１により配線、保持されるハーネスＨとして、遊技盤１の背面側に配設された複数の電気部品８間を接続するハーネスを例示したが、これのみに限定されることはない。その他の箇所の複数の電気部品間を接続するハーネスの配線、保持にも適用できる。特に、本実施形態におけるようにハーネスが複数込み入った箇所に本ハーネス保持具を適用すれば、それらのハーネスを纏まりよく配線（布線）、保持する際の手間を極力省くことができる。
【００２９】
なお、図８（ａ）〜（ｅ）は、ハーネスＨ１の接続箇所が、図７（ａ）〜（ｅ）を参照して説明した例（図３に示す基板８ｃ１と同基板８ｃ１よりも図中、下方側の電気部品８との間を接続する例）とは異なる例について、図７（ａ）〜（ｅ）に倣って示した図である。すなわち、図８（ａ）〜（ｅ）では、ハーネスＨ１は図３に示す基板８ｃ１と同基板８ｃ１よりも図中、上方側の電気部品８との間を接続する例を示す。
この例においても、ハーネス保持具１１を用いたハーネスの配線、保持手順は図７（ａ）〜（ｅ）を参照して説明した手順と同様である。すなわち、始めにハーネス保持具１１を基板８ｃ１上に取り付けない状態でハーネスＨ１〜Ｈ３を配線する〔図８（ａ）、（ｂ）参照〕。次に、ハーネス保持具１１を基板８ｃ１上に取り付け（図３参照）、その後、ハーネスＨ４、Ｈ５をハーネス保持具１１の２階通路部１６内に挿通させる〔図８（ｃ）、（ｄ）参照〕。最後に、ハーネスＨ６配線し〔図８（ｅ）参照〕、ハーネス保持具１１を用いた全ハーネスＨ１〜Ｈ６の配線、保持を完了する、という手順でハーネスの配線、保持が行なわれる。
【符号の説明】
【００３０】
１：遊技盤、８：電気部品、８ａ：遊技制御回路基板、８ａ１：電飾用ランプ制御用サブ基板、８ｂ：ドライブ回路基板、８ｂ１：電飾用ランプドライブ回路基板、８ｃ：中継端子基板、８ｃ１：第１電飾用ランプ駆動信号中継端子基板、８ｃ２：第２電飾用ランプ駆動信号中継端子基板、１１：ハーネス保持具、１２：ハーネス出入口、１４：通路部、１５：１階通路部、１６：２階通路部、１７：ゲート部、１８，１９：側部、２０：上部、２１：スリット、２２：貫通孔。
【図１】
0005762818.tif 000002
【図２】
0005762818.tif 000003
【図３】
0005762818.tif 000004
【図４】
0005762818.tif 000005
【図５】
0005762818.tif 000006
【図６】
0005762818.tif 000007
【図７】
0005762818.tif 000008
【図８】
0005762818.tif 000009